【手続補正書】
【提出日】平成19年12月7日(2007.12.7)
【手続補正１】
【補正対象書類名】明細書
【補正対象項目名】発明の名称
【補正方法】変更
【補正の内容】
【発明の名称】撮像装置のレンタルシステム、その利用方法及び記憶媒体
【手続補正２】
【補正対象書類名】明細書
【補正対象項目名】特許請求の範囲
【補正方法】変更
【補正の内容】
【特許請求の範囲】
【請求項１】  レンタルサービス提供者から提供された、画像データ、音声データを含むデータを記録する機能を備えた撮像装置を、レンタルサービス利用者が借用して使用する撮像装置のレンタルシステムであって、
画像データ、音声データを含むデータを記録する機能を備えた撮像装置と、
前記撮像装置が接続され前記撮像装置との間で前記データの送受信を行うデータ読み書き装置と、
前記撮像装置のレンタル状況を管理する中央管理装置と、
前記データ読み書き装置と前記中央管理装置とを結ぶ通信手段とを備え、
前記撮像装置により撮影した撮像画像の出力を前記データ読み書き装置を仲介して行うようにしたことを特徴とする撮像装置のレンタルシステム。
【請求項２】  前記データ読み書き装置と前記中央管理装置とを結ぶ前記通信手段としてネットワークを用いたことを特徴とする請求項１に記載の撮像装置のレンタルシステム。
【請求項３】  前記撮像装置に格納された前記画像データ、音声データを含むデータの閲覧は、当該閲覧を許可された前記データ読み書き装置に限定されることを特徴とする請求項１又は２に記載の撮像装置のレンタルシステム。
【請求項４】  前記撮像装置で撮影された前記画像データ、音声データを含むデータは、所定のエンコードプログラムによってエンコードされて前記撮像装置に格納され、デコードプログラムを有する前記データ読み書き装置によってのみ当該エンコードされたデータをデコード可能としたことを特徴とする請求項１〜３のいずれか１項に記載の撮像装置のレンタルシステム。
【請求項５】  前記撮像装置には、前記撮像装置のID番号、製造年月日、貸し出しの年月日、返却の年月日、レンタルの回数及びリサイクル情報の少なくとも１つを含む前記撮像装置の個別の管理情報データが格納されていることを特徴とする請求項１〜４のいずれか１項に記載の撮像装置のレンタルシステム。
【請求項６】  前記撮像装置には、地図情報、道路情報及びレストラン情報の少なくとも１つを含む所定の情報が記録されており、前記撮像装置を用いて当該所定の情報を閲覧可能としたことを特徴とする請求項１〜５のいずれか１項に記載の撮像装置のレンタルシステム。
【請求項７】  前記データ読み書き装置は、外部記憶媒体にデータを記録させるためのデータ転送手段を備えることを特徴とする請求項１〜６のいずれか１項に記載の撮像装置のレンタルシステム。
【請求項８】  前記データ読み書き装置は、前記撮像装置から受信した前記画像データ、音声データを含むデータ、前記所定の情報並びに広告データ、シェアソフトを前記外部記憶媒体に記録することを特徴とする請求項７に記載の撮像装置のレンタルシステム。
【請求項９】  前記ネットワークを介して前記データ読み書き装置から前記中央管理装置へ送信された前記画像データ、音声データを含むデータをダウンロードする際に所定のパスワードを必要とすることを特徴とする請求項２〜８のいずれか１項に記載の撮像装置のレンタルシステム。
【請求項１０】  前記撮像装置をリサイクルするリサイクル手段と、前記リサイクル手段と前記中央管理装置とを結ぶ通信手段とを更に備えることを特徴とする請求項１〜９のいずれか１項に記載の撮像装置のレンタルシステム。
【請求項１１】  前記リサイクル手段と前記中央管理装置とを結ぶ通信手段として、ネットワークを用いたことを特徴とする請求項１０に記載の撮像装置のレンタルシステム。
【請求項１２】  前記中央管理装置が、前記管理情報データをもとに、撮像装置のリサイクルを行うか否かの判断処理を行うことを特徴とする請求項５に記載の撮像装置のレンタルシステム。
【請求項１３】  前記画像データをプリントする出力装置と、前記出力装置と前記中央管理装置とを結ぶ通信手段を更に備えることを特徴とする請求項１〜１２のいずれか１項に記載の撮像装置のレンタルシステム。
【請求項１４】  前記出力装置と前記中央管理装置とを結ぶ通信手段として、ネットワークを用いたことを特徴とする請求項１３に記載の撮像装置のレンタルシステム。
【請求項１５】  前記データ読み書き装置の機能が、無人サービス可能なコインマシンから構成されていることを特徴とする請求項１〜１４のいずれか１項に記載の撮像装置のレンタルシステム。
【請求項１６】  前記レンタルサービス利用者から徴収する前記撮像装置のレンタル料金は、レンタル料のみ又はレンタル料と保険料又は保証金の合計によって設定されることを特徴とする請求項１〜１５のいずれか１項に記載の撮像装置のレンタルシステム。
【請求項１７】  前記撮像装置が有する機能に応じて前記レンタル料が設定されることを特徴とする請求項１６に記載の撮像装置のレンタルシステム。
【請求項１８】  レンタルサービス提供者から提供された、画像データ、音声データを含むデータを記録する機能を備えた撮像装置を、レンタルサービス利用者が借用して使用する撮像装置のレンタルシステムであり、画像データ、音声データを含むデータを記録する機能を備えた撮像装置と、前記撮像装置が接続され前記撮像装置との間で前記データの送受信を行うデータ読み書き装置と、前記撮像装置のレンタル状況を管理する中央管理装置と、前記データ読み書き装置と前記中央管理装置とを結ぶ通信手段とを備えた撮像装置のレンタルシステムの利用方法であって、
前記撮像装置により撮影した撮像画像の出力を前記データ読み書き装置を仲介して行う手順を有することを特徴とする撮像装置のレンタルシステムの利用方法。
【請求項１９】  請求項１８に記載の撮像装置のレンタルシステムの利用方法の手順をコンピュータに実行させるためのプログラムを記憶したコンピュータ読み取り可能な記憶媒体。
【手続補正３】
【補正対象書類名】明細書
【補正対象項目名】００２４
【補正方法】変更
【補正の内容】
【００２４】
本発明の撮像装置のレンタルシステムの利用方法は、レンタルサービス提供者から提供された、画像データ、音声データを含むデータを記録する機能を備えた撮像装置を、レンタルサービス利用者が借用して使用する撮像装置のレンタルシステムであり、画像データ、音声データを含むデータを記録する機能を備えた撮像装置と、前記撮像装置が接続され前記撮像装置との間で前記データの送受信を行うデータ読み書き装置と、前記撮像装置のレンタル状況を管理する中央管理装置と、前記データ読み書き装置と前記中央管理装置とを結ぶ通信手段とを備えた撮像装置のレンタルシステムの利用方法であって、前記撮像装置により撮影した撮像画像の出力を前記データ読み書き装置を仲介して行う手順を有することを特徴とする。
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】変更
【補正の内容】
【００３０】
本発明の記憶媒体は、上記の撮像装置のレンタルシステムの利用方法の手順をコンピュータに実行させるためのプログラムを記憶したコンピュータ読み取り可能な記憶媒体である。